(57)【特許請求の範囲】
【請求項１】
水溶性薬剤が配置される配置部と、該配置部を貯水タンク式水洗トイレの放水タップに結合させる結合部と、前記放水タップから流出する水を前記配置部に供給する供給部と、前記水に前記水溶性薬剤が溶解した溶液を前記配置部から導出する導出部とを備え、
前記配置部は、前記水溶性薬剤を収容する収容室からなり、
前記供給部は、前記放水タップから流出する水を貯留する貯留室と、該貯留室に貯留した水の一部を流出させる流出孔と、該貯留室に残存する水を前記収容室に流入させる流入孔とからなり、
前記収容室の側部に前記貯留室を配置し、
前記貯留室の底壁に、前記流出孔を複数形成した
ことを特徴とする水洗トイレ用薬剤供給具。
【請求項２】
水溶性薬剤が配置される配置部と、該配置部を貯水タンク式水洗トイレの放水タップに結合させる結合部と、前記放水タップから流出する水を前記配置部に供給する供給部と、前記水に前記水溶性薬剤が溶解した溶液を前記配置部から導出する導出部とを備え、
前記配置部は、前記水溶性薬剤を収容する収容室からなり、
前記収容室の両側部に、前記供給部から供給される水を流入させる間隙を各々形成するとともに、両間隙を相互に異なる幅としたことを特徴とする水洗トイレ用薬剤供給具。
【請求項３】
水溶性薬剤が配置される配置部と、該配置部を貯水タンク式水洗トイレの放水タップに結合させる結合部と、前記放水タップから流出する水を前記配置部に供給する供給部と、前記水に前記水溶性薬剤が溶解した溶液を前記配置部から導出する導出部とを備え、
前記配置部は、前記水溶性薬剤を収容する収容室からなり、
前記収容室の両側部に、前記導出部に導出される前記溶液を通流させる間隙を各々形成するとともに、両間隙を相互に異なる幅としたことを特徴とする水洗トイレ用薬剤供給具。
【発明の詳細な説明】
【０００１】
【発明の属する技術分野】
本発明は、貯水タンク式水洗トイレの貯水タンク内に薬剤を溶解させて供給する水洗トイレ用薬剤供給具に関する。
【０００２】
【従来の技術】
従来の水洗トイレ用薬剤供給具としては、例えば図１５に示したものが知られている。この水洗トイレ用薬剤供給具は、水溶性薬剤を収容する供給具本体２００を有し、該供給具本体２００の底壁には、通流孔２０１が放射状に開設されているとともに、複数の足体２０２が突設されている。また、供給具本体２００の内部であって底壁上には、水溶性薬剤２０３が載置される。
【０００３】
かかる水洗トイレ用薬剤供給具は、貯水タンク式水洗トイレの貯水タンク上蓋２０４に設けられている穴２０５に足部２０２を差し込んで、貯水タンク上蓋２０４上に配置される。したがって、放水に伴って貯水式水洗トイレの放水タップから水が流下すると、足部２０２により穴２０５への流入を妨げられた水は貯水タンク上蓋２０４上に一時的に滞留する滞留水Ｗとなり、この滞留水Ｗが通流孔２０１を介して供給具本体２００内に浸入する。これにより、水溶性薬剤２０３が滞留水Ｗに浸漬してその成分が溶解して分散する。この水溶性薬剤２０３が溶解した滞留水Ｗは、穴２０５から貯水タンク内に流下した後、該貯水タンク内に貯留する。
【０００４】
【発明が解決しようとする課題】
このように、従来の水洗トイレ用薬剤供給具にあっては、貯水タンク上蓋２０４上の滞留水Ｗに水溶性薬剤２０３を浸漬させることにより、該滞留水Ｗ中に水溶性薬剤２０３の成分を溶解、分散させるようにしている。このとき、水溶性薬剤２０３には、各種洗浄剤等のみならず、視覚上の清涼感を発揮させるべく水を着色するために、ブルー染料が一般に混入されている。このため、滞留水Ｗ中に溶解、分散したブルー染料が貯水タンク上蓋２０４の表面に付着し、該タンク上蓋２０４の貯留水Ｗが生ずる広範囲に亙って汚れてしまう不都合があった。
【０００５】
また、穴２０５を中心とした貯水タンク上蓋２０４の傾斜角度θは、貯水タンク式水洗トイレを製造するメーカー毎に異なっており、よって、傾斜角度θが異なる複数種の貯水タンク上蓋２０４が存在する。一方、滞留水Ｗの液面レベルと傾斜角度θとは一定の関係を有し、傾斜角度θが大きくなるに従って滞留水Ｗの液面レベルが高くなり、傾斜角度θが小さくなるに従って滞留水Ｗの液面レベルが低くなる。また、滞留水Ｗの液面レベルが高くなれば、水溶性薬剤２０３の滞留水Ｗ内に浸漬する量が多くなって溶解する薬剤の量も増加し、滞留水Ｗの液面レベルが低くなれば、水溶性薬剤２０３の滞留水Ｗ内に浸漬する量が少なくなって溶解する薬剤の量も少なくなる。
【０００６】
したがって、１回の放水によって水溶性薬剤２０３から溶解する薬剤の量が、貯水タンク上蓋の形状によって異なるものとなり、その結果、水溶性薬剤２０３の持続期間（１日当たりの放水タップの放水回数を所定値とした場合の持続期間）も貯水タンク上蓋の形状によって異なるものとなってしまう。また、傾斜角度θが極端に小さいものでは、滞留水Ｗがなくなり、水溶性薬剤を溶解しないという問題もあった。
【０００７】
本発明は、このような従来の課題に鑑みてなされたものであり、タンク上蓋の汚れを抑制するとともに、貯水タンク上蓋の形状に左右されることなく水溶性薬剤に一定の持続期間を確保することのできる水洗トイレ用薬剤供給具を提供することを目的とするものである。
【０００８】
【課題を解決するための手段】
前記課題を解決するために、請求項１記載の発明にかかる水洗トイレ用薬剤供給具にあっては、水溶性薬剤が配置される配置部と、該配置部を貯水タンク式水洗トイレの放水タップに結合させる結合部と、前記放水タップから流出する水を前記配置部に供給する供給部と、前記水に前記水溶性薬剤が溶解した溶液を前記配置部から導出する導出部とを備え、前記配置部は、前記水溶性薬剤を収容する収容室からなり、前記供給部は、前記放水タップから流出する水を貯留する貯留室と、該貯留室に貯留した水の一部を流出させる流出孔と、該貯留室に残存する水を前記収容室に流入させる流入孔とからなり、前記収容室の側部に前記貯留室を配置し、前記貯留室の底壁に、前記流出孔を複数形成した。
【０００９】
したがって、結合部が放水タップに結合することにより、配置部は貯水タンク上蓋の上方空間に支持される。この状態で放水タップより水を流出させると、該水は供給部を介して配置部に供給され、この供給された水に水溶性薬剤が溶解して溶液が生成される。この生成された溶液は、導出部を介して貯水タンク上蓋に流下する。
【００１０】
よって、放水タップからの１回の放水により溶解する水溶性薬剤の量は、貯水タンク上蓋の形状に左右されることなく一定となり、水溶性薬剤の持続期間も一定となる。また、導出部から貯水タンク上蓋上に流下した溶液は、該水タンク上蓋で滞留することなく流れることから、該薬剤溶液中に含まれているブルー染料が貯水タンク上蓋に付着しにくく、ブルー染料の付着による貯水タンク上蓋の汚れが抑制される。
【００１１】
また、前記配置部は、前記水溶性薬剤を収容する収容室からなる。したがって、収容室内に貯留した水に水溶性薬剤が浸漬することにより、より正確に一定量の薬剤が溶解する。
【００１４】
また、前記供給部は、前記放水タップから流出する水を貯留する貯留室と、該貯留室に貯留した水の一部を流出させる流出孔と、該貯留室に残存する水を前記収容室に流入させる流入孔とからなる。したがって、放水タップからの水は一旦貯留室に貯留してから収容室に供給されることから、放水タップからの水の勢いによって水溶性薬剤が過剰に溶解してしまうことがない。
【００１９】
また、前記収容室の側部に前記貯留室を配置してある。したがって、水洗トイレ用薬剤供給具が横長形状となることから、その下部に手洗いに必要な空間が確保される。
また、前記貯留室の底壁に、前記流出孔を複数形成してある。したがって、放水タップからの水が複数の流出孔からシャワー状に流下する。
【００２１】
また、請求項２記載の発明にかかる水洗トイレ用薬剤供給具にあっては、水溶性薬剤が配置される配置部と、該配置部を貯水タンク式水洗トイレの放水タップに結合させる結合部と、前記放水タップから流出する水を前記配置部に供給する供給部と、前記水に前記水溶性薬剤が溶解した溶液を前記配置部から導出する導出部とを備え、前記配置部は、前記水溶性薬剤を収容する収容室からなり、前記収容室の両側部に、前記供給部から供給される水を流入させる間隙を各々形成するとともに、両間隙を相互に異なる幅としてある。したがって、幅の広い方の間隙から多量の水が収容室内に流入することにより、収容室内に一定の水の流れが形成されて、水溶性薬剤が一定量をもって溶解する。
【００２２】
また、請求項３記載の発明にかかる水洗トイレ用薬剤供給具にあっては、水溶性薬剤が配置される配置部と、該配置部を貯水タンク式水洗トイレの放水タップに結合させる結合部と、前記放水タップから流出する水を前記配置部に供給する供給部と、前記水に前記水溶性薬剤が溶解した溶液を前記配置部から導出する導出部とを備え、前記配置部は、前記水溶性薬剤を収容する収容室からなり、前記収容室の両側部に、前記導出部に導出される前記溶液を通流させる間隙を各々形成するとともに、両間隙を相互に異なる幅としてある。したがって、幅の広い方の間隙から多量の水が導出部に流入することにより、同様に収容室内に一定の水の流れが形成されて、水溶性薬剤が一定量をもって溶解する。
【００２９】
【発明の実施の形態】
以下、本発明の実施の形態を図に従って説明する。すなわち、図１は、本発明の第１実施の形態を示すものであり、貯水タンク式水洗トイレの貯水タンク上蓋１には穴２が設けられているとともに、該穴２を中心に円錐状の斜面３が設けられている。また、貯水タンク上蓋１の上方には、放水タップ４が配置されている。
【００３０】
一方、水洗トイレ用薬剤供給具１０は、底壁１１と該底壁１１の周縁部に起立する環状の周壁１２、及び該周壁１２の上端部に形成された上壁１３とを一体的に有し、内部に収容室１４が設けられている。周壁１２の下部には、底壁１１の上面に連なる導出孔１５が形成されており、上壁１３の中央部には放水タップ結合部１６が設けられている。放水タップ結合部１６は、放水タップ４に外嵌して結合するとともに収容室１４に連通する嵌合穴１６ａを有し、周部に上壁１３よりも上方に突出する突縁１７が設けられている。
【００３１】
また、収容室１４内には底壁１１上に水溶性薬剤１８が配置されている。水溶性薬剤１８は、固形状であって、各種洗浄剤、漂白剤、芳香剤、酵素剤、殺菌剤、忌避剤、殺虫剤、空気洗浄剤、消臭剤、脱臭剤が適宜選択されて混入されているとともに、ブルー染料が混入されている。
【００３２】
以上の構成にかかる本実施の形態において、水洗トイレ用薬剤供給具１０を使用するに際しては、図示のように放水タップ４の先端部に放水タップ結合部１６を嵌合させる。これにより、水洗トイレ用薬剤供給具１０は放水タップ４の先端部に連結されて、貯水タンク上蓋１の上方空間に支持される。この状態で放水タップ４より水を放出させると、水が収容室１４内に貯留して水溶性薬剤１８が浸漬し、水溶性薬剤１８の薬剤成分が水内に溶解して混入する。
【００３３】
このとき、収容室１４内に貯留する水の液面レベルは、斜面３の傾斜角度とは無関係に、放水タップ４からの流入量と導出孔１５からの流出量との関係に応じて定まる。よって、放水タップ４からの１回の放水によって水溶性薬剤１８から溶解する薬剤の量が一定となり、貯水タンク上蓋１の形状によって左右されることなく、水溶性薬剤１８の持続期間を一定にすることができる。
【００３４】
そして、収容室１４内で水溶性薬剤１８の薬剤成分が混入して生成された薬剤溶液は、導出孔１５より外部に流出する。この導出孔１５より流出した薬剤溶液は、貯水タンク上蓋１の斜面３を通流して穴２よりタンク内に流下する。したがって、薬剤溶液は貯水タンク上蓋１上で滞留することなく流れることから、該薬剤溶液中に含まれているブルー染料が貯水タンク上蓋１に付着しにくく、ブルー染料の付着による貯水タンク上蓋１の汚れが抑制される。また、貯水タンク上蓋１において、導出孔１５から流下した薬剤溶液が接触する部分は極めて少ないことから、これによってもブルー染料の付着による貯水タンク上蓋１の汚れが抑制されることとなる。
【００３５】
図２は、本発明の第２実施の形態を示すものであり、前記第１実施の形態における導出孔１５に代えてこれよりも大径の導出開口１９を設けたものであり、他の構成は第１実施の形態と同様である。また、導出開口１９は、放水タップ４からの水が収容室１４に貯留せずに流出し得る開口面積を有している。
【００３６】
したがって、かかる第２の実施の形態においては、放水タップ４からの水が直接、水溶性薬剤１８に接触することにより、薬剤成分の溶解が行われる。このとき、放水タップ４からの１回当たりの放水量は一定であるから、放水タップ４からの１回の放水によって水溶性薬剤１８から溶解する薬剤の量が一定となる。よって、貯水タンク上蓋１の形状によって左右されることなく、水溶性薬剤１８の持続期間を一定にすることができる。
【００３７】
図３は、本発明の第３実施の形態を示すものである。水洗トイレ用薬剤供給具１０は、底壁１１と該底壁１１の周縁部に起立する環状の周壁１２、及び該周壁１２の上端部に形成された上壁１３とを一体的に有している。また、内部には周部を周壁１２に結合された中間壁２０が設けられており、これにより内部は中間壁２０よりも下部の収容室２１と上部の貯留室２２とに仕切られている。
【００３８】
上壁１３の中央部には、前記実施の形態と同様の放水タップ結合部１６が設けられており、嵌合孔１６ａは、貯留室２２に連通している。また、周壁１２には、中間壁２０のやや上部にて貯留室２２を外部に連通する複数の流出孔２３が設けられている。中間壁２０の中央部には、貯留室２２と収容室２１とに連通する流入孔２４が設けられている。さらに、周壁１２の下部には、底壁１１の上面に連なる導出孔２５が設けられており、収容室２１内の底壁１１上に水溶性薬剤１８が配置されている。
【００３９】
以上の構成にかかる本実施の形態において、放水タップ４の先端部に放水タップ結合部１６を嵌合させた状態で放水タップ４より水を放出させると、貯留室２２内に水が流入する。この貯留室２２内に流入した水は、流入孔２４を介し収容室２１内に流入して水溶性薬剤１８上に滴下するとともに、収容室２１内に貯留する。これにより、水溶性薬剤１８の薬剤成分が水内に溶解して混入し、この薬剤成分が溶解した薬剤溶液は、導出孔２５より外部に流出し、貯水タンク上蓋１の斜面３を通流して穴２よりタンク内に流下する。
【００４０】
しかし、貯留室２２内に流出孔２３の位置以上の水が貯留すると、この水は流出孔２３より外部に流出することから、流入孔２４から収容室２１内に流入する水の量が一定に維持される。よって、放水タップ４からの１回の放水によって水溶性薬剤１８から溶解する薬剤の量が一定となり、貯水タンク上蓋１の形状によって左右されることなく、水溶性薬剤１８の持続期間を一定にすることができる。
【００４１】
図４は、本発明の第４実施の形態を示すものである。この実施の形態においては、図３に示した第３実施の形態における収容室２１内の底壁１１上に台座２６が突設されており、この台座２６上に水溶性薬剤１８が載置されている。また、導出孔２５は第３実施の形態の導出孔２５よりもやや大径に形成されている。
【００４２】
かかる第４実施の形態において、放水タップ４の先端部に放水タップ結合部１６を嵌合させた状態で放水タップ４より水を放出させると、貯留室２２内に水が流入する。この貯留室２２内に流入した水は、流入孔２４を介し収容室２１内に流入して水溶性薬剤１８上に滴下するとともに、収容室２１内に貯留する。
【００４３】
しかし、水溶性薬剤１８は台座２６上に載置されていることから、収容室２１内に貯留した水に浸漬することはなく、よって、水溶性薬剤１８は流入孔２４から滴下した水によってのみ溶解する。したがって、流入孔２４の径に依存して放水タップ４からの１回の放水によって水溶性薬剤１８から溶解する薬剤の量が決定されることとなり、その結果、水溶性薬剤１８の持続期間をより正確に一定にすることができる。
【００４４】
図５は、本発明の第５実施の形態を示すものである。この実施の形態においては、図４に示した第４実施の形態における流出孔２３を単一のみ設けるとともに、この流出孔２３に外部に突出する導水管２３ａを連通させてある。
【００４５】
かかる第５実施の形態において、放水タップ４より水を放出させると、貯留室２２内に水が貯留し、その水位が流出孔２３の位置以上になると、貯留した水は流出孔２３及び導水管２３ａを介して、外部に流出する。したがって、この導水管２３ａより流出する水を、手洗いに使用することができ、よって、水溶性薬剤１８の持続期間をより正確に一定にしつつ、手洗い用の水を確保することもできる。
【００４６】
図６は、本発明の第６実施の形態を示すものである。水洗トイレ用薬剤供給具１０は、底壁１１と該底壁１１の周縁部に起立する環状の周壁１２、及び該周壁１２の上端部に形成された上壁１３とを一体的に有している。また、内部には垂直状であって周部を各壁１１、１２、１３に結合された中間壁２７が設けられており、これにより内部は中間壁２７よりも左側の収容室２８と右側の貯留室２９とに仕切られている。
【００４７】
上壁１３の貯留室２９に対応する部位には、前記実施の形態と同様の放水タップ結合部１６が設けられており、その嵌合孔１６ａは、貯留室２９に連通している。また、底壁１１の貯留室２９側には、流出孔３０が設けられており、中間壁２７の上部には流入孔３１が設けられている。該流入孔３１には、導水管３２の一端部が連通されており、該導水管３２は上壁１３の下面に沿って収容室２８側に配索され、その他端部３２ａは、収容室２８の中央部にて下方に垂下している。
【００４８】
収容室２８側には、周壁１２の下部に、底壁１１の上面に連なる導出孔３３が設けられており、収容室２８内の底壁１１上に水溶性薬剤１８が配置されている。なお、「貯留室２９に入る水の量＞流出孔３０から出る水の量」の関係が設定されている。
【００４９】
以上の構成にかかる本実施の形態において、放水タップ４の先端部に放水タップ結合部１６を嵌合させた状態で放水タップ４より水を放出させると、貯留室２９内に水が流入する。この貯留室２９内に流入した水は、その一部が流出孔３０から流出しつつ、貯留室２９内に貯留する。そして、この貯留室２９内に貯留した水のレベルが流入孔３１に到達すると、貯留した水の一部は流入孔３１及び導水管３２を介して、該導水管３２の端部３２ａより水溶性薬剤１８上に滴下するとともに、収容室２８内に貯留する。これにより、水溶性薬剤１８の薬剤成分が水内に溶解して混入し、この薬剤成分が溶解した薬剤溶液は、導出孔３３より外部に流出し、貯水タンク上蓋１の斜面３を通流して穴２よりタンク内に流下する。
【００５０】
すなわち、本実施の形態においては、貯留室２９内に流入した水のオーバーフロー分のみが収容室２８に流入することにより、収容室２８内に流入する水の量が一定に維持される。よって、放水タップ４からの１回の放水によって水溶性薬剤１８から溶解する薬剤の量が一定となり、貯水タンク上蓋１の形状によって左右されることなく、水溶性薬剤１８の持続期間を一定にすることができる。
【００５１】
また、流出孔３０から流出する水を、手洗いに使用することができ、よって、水溶性薬剤１８の持続期間をより正確に一定にしつつ、手洗い用の水を確保することもできる。しかも、収容室２８と貯留室２９とが左右に設けられていることから、水洗トイレ用薬剤供給具１０の上下寸法を小さくすることができる。したがって、流出孔３０と貯水タンク上蓋１との間に、手洗いに必要な空間を十分に確保することができる。
【００５２】
図７は、本発明の第７実施の形態を示すものである。この実施の形態においては、図６に示した第６実施の形態における収容室２１内の底壁１１上に台座２６が設けられており、この台座２６上に水溶性薬剤１８が載置されている。また、導出孔３３は底壁１１に形成されている。
【００５３】
かかる第７実施の形態において、放水タップ４の先端部に放水タップ結合部１６を嵌合させた状態で放水タップ４より水を放出させると、貯留室２９内に流入した水のオーバーフロー分のみが、流入孔３１及び導水管３２を介して該導水管３２の端部３２ａより水溶性薬剤１８上に滴下するとともに、収容室２８内に貯留する。しかし、水溶性薬剤１８は台座２６上に載置されていることから、収容室２８内に貯留した水に浸漬することはなく、よって、水溶性薬剤１８は導水管３２の端部３２から滴下した水によってのみ溶解する。
【００５４】
したがって、流入孔２４の径に依存して放水タップ４からの１回の放水によって水溶性薬剤１８から溶解する薬剤の量が決定されることとなり、その結果、水溶性薬剤１８の持続期間をより正確に一定にすることができる。
【００５５】
図８は、本発明の第８実施の形態を示すものである。この実施の形態においては、図７に示した第７実施の形態における底壁１１の下面に、シャッター３４が水平方向に摺動自在に支持されている。該シャッター３４は、手指により摺動可能であって、摺動に伴って流出孔３０の開度を調整し得るように構成されている。
【００５６】
したがって、シャッター３４を操作して流出孔３０の開度を小さくすると、相対的に収容室２８内への水の流入量が増大し、１回の放水によって水溶性薬剤１８から溶解する薬剤の量も増大する。また、逆に流出孔３０の開度を大きくすると、相対的に収容室２８内への水の流入量が減少し、１回の放水によって水溶性薬剤１８から溶解する薬剤の量も減少する。よって、１回の放水によって水溶性薬剤１８から溶解する薬剤の量を調整することができるとともに、これにより水溶性薬剤１８の持続期間を調整することもできる。
【００５７】
図９は、本発明の第９実施の形態を示すものである。水洗トイレ用薬剤供給具１０は、底壁１１と該底壁１１の周縁部に起立する環状の周壁１２、及び該周壁１２の上端部に形成された上壁１３とを一体的に有し、内部に収容室１４が設けられている。上壁１３の一側部は周壁１２よりも側方に突出しており、この突出した部分には、前記実施の形態と同様の放水タップ結合部１６が設けられている。
【００５８】
また、底壁１１の端部には導出孔３５が形成され、周壁１２の上端部には供給孔３６が形成されている。該供給孔３６には、導水管３７が水密状に嵌合されており、該導水管３７は、上壁１３の下面に沿って収容室１４の外部から内部に亙って配索されている。導水管３７の一端部には、放水タップ結合部１６が有する嵌合孔１６ａの開口面の投影面内に位置して斜め上方に屈曲された導入片３７ａが設けられており、他端部３７ｂは、収容室１４の中央部にて下方に垂下している。また、収容室１４内の底壁１１上に台座２６が突設されており、この台座２６上に水溶性薬剤１８が載置されている。
【００５９】
以上の構成にかかる本実施の形態において、使用に際しては、図示のように放水タップ４の先端部に放水タップ結合部１６を嵌合させる。この状態で放水タップ４より水を放出させると、導入片３７ａよりも外側においては、放水タップ４からの水が直接貯水タンク上蓋１上に流下し、この流下する水により手洗いを行うことができる。しかも放水タップ４の下方には、空間確保されていることから、水洗トイレ用薬剤供給具１０が手洗いの妨げとなることはない。
【００６０】
また、放水タップ４から放出された水の一部は、導入片３７ａによりガイドされて、導水管３７内に流入し、該導水管３７内を通流して、水溶性薬剤１８上に滴下するとともに、収容室１４内に貯留する。しかし、水溶性薬剤１８は台座２６上に載置されていることから、収容室１４内に貯留した水に浸漬することはなく、よって、水溶性薬剤１８は導水管３７の端部３７ｂから滴下した水によってのみ溶解する。したがって、流入孔２４の径に依存して放水タップ４からの１回の放水によって水溶性薬剤１８から溶解する薬剤の量が決定されることとなり、その結果、水溶性薬剤１８の持続期間をより正確に一定にすることができる。
【００６１】
図１０は、本発明の第１０実施の形態を示すものである。水洗トイレ用薬剤供給具１０は、下部函体４１と上部函体４２とを一体的に結合して構成されている。下部函体４１は、底壁４３と該底壁４３の周縁部に起立する環状の周壁４４、及び該周壁４４の上端部に形成され一部が切欠された上壁４５とを一体的に有し、内部に収容室４６が設けられている。収容室４６の底壁４３上には台座２６が突設され、該台座２６上に水溶性薬剤１８が載置されており、底壁４３の端部には導出孔３５が形成されている。
【００６２】
上部函体４２は、下部函体４１の上壁４５に連なって該下部函体４１よりも側方に突出する底壁４７と、該底壁４７の周縁部に起立する環状の周壁４８、及び該周壁４８の上端部に形成された上壁４９とを一体的に有し、内部に貯留室５０が設けられている。上部函体４２の底壁４７には、収容室４６の中央寄りに位置して該収容室４６の内部に連通する供給孔５１が設けられているとともに、収容室４６の外部に連通する流出孔５２が設けられている。また、上部函体４２の上壁４９には、前記実施の形態と同様の放水タップ結合部１６が設けられている。
【００６３】
以上の構成にかかる本実施の形態において、使用に際しては、図示のように放水タップ４の先端部に放水タップ結合部１６を嵌合させる。この状態で放水タップ４より水を放出させると、水は貯留室５０内に流入し、その一部は流出孔５２から外部に流下する。よって、この流出孔５２から流下する水により手洗いを行うことができ、しかも流出孔５２の下方には、空間確保されていることから、支障なく手洗いを行うことができる。
【００６４】
また、貯留室５０内に流入した水の一部は、供給孔５１より水溶性薬剤１８上に滴下するとともに、収容室４６内に貯留する。しかし、水溶性薬剤１８は台座２６上に載置されていることから、収容室４６内に貯留した水に浸漬することはなく、よって、水溶性薬剤１８は供給孔５１から滴下した水によってのみ溶解する。したがって、供給孔５１と流出孔５２の径に依存して、放水タップ４からの１回の放水によって水溶性薬剤１８から溶解する薬剤の量が決定されることとなり、その結果、水溶性薬剤１８の持続期間をより正確に一定にすることができる。
【００６５】
図１１及び図１２は、本発明の第１１実施の形態を示すものである。水洗トイレ用薬剤供給具１０は、左部函体６１と右部函体６２とを一体的に結合して構成されている。左部函体６１は、平面視において円形である底壁６３と該底壁６３の周縁部に起立する環状の周壁６４とを有している。底壁６３は、その中心線より一方側に設けられた下部底壁６３ａと、他方側に設けられ下部底壁６３ａよりも上方に位置する上部底壁６３ｂ、及び下部底壁６３ａと上部底壁６３ｂ間に連なる垂直底壁６３ｃとで構成されている。
【００６６】
下部底壁６３ａには、導出孔６５が形成されているとともに、該導出孔６５よりも内側に第１仕切壁６６が立設されている。該第１仕切壁６６は、湾曲状であって周壁６４よりもやや低く、その一端部と周壁６４間には、第１大間隙６７ａが設けられ、その他端部と周壁６４間には、前記第１大間隙６７ａよりも狭幅の第１小間隙６７ｂが設けられている。
【００６７】
上部底壁６３ｂ上であって垂直底壁６３ｃの延長上には、第２仕切壁６８が立設されている。該第２仕切壁６８は、直面状であって第１仕切壁６６よりもやや低く設定されている。この第２仕切壁６８の両端部と第１仕切壁６６との両端部間には、前記第１大間隙６７ａ側に第２小間隙６９ａが設けられ、前記第１小間隙６７ｂ側に、第２小間隙６９ａよりも広い第２大間隙６９ｂが設けられている。
【００６８】
さらに、第１仕切壁６６と第２仕切壁６８間には、中間底壁７０が設けられている。該中間底壁７０は、一端縁が第１仕切壁６６の内周面に結合されるとともに、他端縁が第２仕切壁６８の下端部に結合され、第１仕切壁６６側から第２仕切壁６８側に下降する傾斜状に形成されている。また、上部底壁６３ｂ上には、第２仕切壁６８と周壁６４との間に収容室７８が形成され、該収容室７８内に水溶性薬剤１８が配置されている。
【００６９】
一方、右部函体６２は、底壁７１と、該底壁７１の周縁部に起立する周壁７２、及び該周壁７２の上端部に形成された上壁７３とを一体的に有している。そして、これら底壁７１、周壁７２、上壁７３の端部を左部函体６１の周壁６４に結合させることにより、内部に貯留室７４が形成されている。底壁７１には、複数の流出孔７５が形成されており、上壁７３には貯留室７４内に連通する前記実施の形態と同様の放水タップ結合部１６と、チューブ結合部７６が突設されている。チューブ結合部７６には、鎖線で示したチューブ７７の一端部が外嵌されており、該チューブ７７の他端部７７ａは前記中間底壁７０の中央上部に位置している。
【００７０】
なお、放水タップ結合部１６からの単位時間当たりの水の流入量に対して、流出孔７５からの単位時間当たりの水の流出量が小さくなるように、流出孔７５の総開口面積が設定されている。
【００７１】
以上の構成にかかる本実施の形態において、放水タップ４の先端部に放水タップ結合部１６を嵌合させた状態で放水タップ４より水を放出させると、貯留室７４内に水が流入する。この貯留室７４内に流入した水は、その一部が流出孔７５から流出しつつ、貯留室７４内に貯留する。そして、この貯留室２９内に貯留した水の量が当該貯留室７４の容積を超えると、貯留した水の一部はチューブ結合部７６を介してチューブ７７に流入する。したがって、貯留室７４内に流下した水が逆流するが如くチューブ７７内に流入して流動することにより、水の流れに面白さが感じられて、商品性が高められる。
【００７２】
そして、チューブ７７内を流動した水は、端部７７ａから中間底壁７０の中央部に流下する。この中間底壁７０の中央部に流下した水は、第２小間隙６９ａと第２大間隙６９ｂとを介して、収容室７８の上部底壁６３ｂ上に流入して貯留する。これにより、水溶性薬剤１８の薬剤成分が水内に溶解して混入し、この薬剤成分が溶解した薬剤溶液は、第１大間隙６７ａと第１小間隙６７ｂとから、下部底壁６３ａ上に流下する。
【００７３】
このとき、第２小間隙６９ａは第２大間隙６９ｂよりも狭副であることから、第２小間隙６９ａ側からよりも第２大間隙６９ｂ側から大量の水が上部底壁６３ｂ上に流入し、かつ、第１大間隙６７ａは第１小間隙６７ｂよりも広幅であることから、第１小間隙６７ｂからよりも第１大間隙６７ａ側から多量の薬剤溶液が下部底壁６３ａ上に流下する。したがって、上部底壁６３ｂ上において、第２大間隙６９ｂ側から第１大間隙６７ａ側への一定の水及び薬剤溶液の流れが形成され、この一定の流れにより水溶性薬剤１８を一定量溶解させることができる。よって、放水タップ４からの１回の放水によって水溶性薬剤１８から溶解する薬剤の量が一定となり、その結果、水溶性薬剤１８の持続期間をより正確に一定にすることができる。
【００７４】
また、チューブ７７の他端部から収容室７８内に流入する水が、直接水溶性薬剤１８に当たらず、第２小間隙６９ａ及び第２大間隙６９ｂから収容室７８に流入するので、水溶性薬剤１８の型くずれを防止することもできる。
【００７５】
そして、前記下部底壁６３ａ上に流下した薬剤溶液は、導出孔６５より外部に流出し、貯水タンク上蓋１の斜面３を通流して穴２よりタンク内に流下する。
【００７６】
すなわち、本実施の形態においては、貯留室７４内に流入した水のオーバーフロー分のみが上部底壁６３ｂ上に流入することにより、放水タップ４からの１回の放水によって水溶性薬剤１８から溶解する薬剤の量が一定となる。
【００７７】
また、複数の流出孔７５からシャワー上に流出する水を、手洗いに使用することができ、よって、水溶性薬剤１８の持続期間を一定にしつつ、シャワー状の水により効率的に手洗いを行うことができる。
【００７８】
しかも、両函体６１、６２が左右に設けられていることから、水洗トイレ用薬剤供給具１０の上下寸法を小さくすることができる。したがって、流出孔７５と貯水タンク上蓋１との間に、手洗いに必要な空間を十分に確保することができる。
【００７９】
図１３は、本発明の第１２実施の形態を示すものである。水洗トイレ用薬剤供給具１０は、左部函体８１と右部函体８２とを一体的に結合して構成されている。左部函体８１は、平面視において円形である底壁８３と該底壁８３の周縁部に起立する環状の外周壁８４とを有している。底壁８３は、周部に設けられた下部底壁８３ａと、中心部に設けられ下部底壁８３ａよりも上方に位置する上部底壁８３ｂ、及び下部底壁８３ａと上部底壁８３ｂ間に連なる垂直底壁８３ｃとで構成されている。
【００８０】
下部底壁８３ａには、導出孔８５が形成されている。該導出孔８５には、透明の導出チューブ９９の上端部が連結されており、該導出チューブ９９は下端部が貯水タンク上蓋１の穴２に到達し得る長さを有している。また、左部函体８１の内部には、上部底壁８３ｂ上に環状の内周壁８６が立設されており、これにより上部底壁８３上には内周壁８６により取り囲まれた上部開口状の収容室８７が形成されている。そして、この収容室８７内の上部底壁８３上に、水溶性薬剤１８が配置されているとともに、前記内周壁８６の下部に中間孔８８が形成されている。
【００８１】
さらに、左部函体８１上には、周部を外周壁８４に支持された蓋体８９が設けられている。該蓋体８９の中央部には、導入チューブ９０の一端部が挿通されており、該導入チューブ９０の一端部は水溶性薬剤１８の上部に位置している。
【００８２】
一方、右部函体８２は、底壁９１と、該底壁９１の周縁部に起立する周壁９２、及び該周壁９２の上端部に形成された上壁９３とを一体的に有している。そして、これら底壁９１、周壁９２、上壁９３の端部を左部函体８１の外周壁８４に結合させることにより、内部に貯留室９４が設けられている。
【００８３】
底壁９１には、複数の流出孔９５が形成されている。また、上壁９３には貯留室９４内に連通する供給孔９６を有する放水タップ結合部９７が突設されているとともに、前記導入チューブ９０の他端部が収容室９４内に連通する状態で結合されている。放水タップ結合部９７にはアダプタ９８が設けられており、このアダプタ９８は、前記放水タップ４を外嵌可能な径の筒体からなる。
【００８４】
なお、前記実施の形態と同様に、放水タップ結合部１６からの単位時間当たりの水の流入量に対して、流出孔９５からの単位時間当たりの水の流出量が小さくなるように、流出孔９５の総開口面積が設定されている。
【００８５】
以上の構成にかかる本実施の形態において、この水洗トイレ用薬剤供給具１０を使用するに際しては、図示のように放水タップ４の先端部にアダプタ９８を嵌合させるとともに、導出チューブ９９の先端部を貯水タンク上蓋１の穴２内に位置させておく。この状態で放水タップ４より水を放出させると、貯留室９４内に水が流入する。この貯留室９４内に流入した水は、その一部が流出孔９５から流出しつつ、貯留室９４内に貯留する。
【００８６】
そして、この貯留室９４内に貯留した水の量が当該貯留室９４の容積を超えると、貯留した水の一部は導入チューブ９０を介して、収容室８７内に流下する。これにより、水溶性薬剤１８の薬剤成分が水内に溶解し、この薬剤成分が溶解した薬剤溶液は、中間孔８８から下部底壁８３ａ上に流下する。しかる後に、導出孔８５及び導出チューブ９９を介して、貯水タンク上蓋１の穴２内に導出される。したがって、貯水タンク上蓋１上にブルー染料が溶解した薬剤溶液が滴下することがなく、ブルー染料の付着に伴う貯水タンク上蓋１の汚れを完全に防止することができる。
【００８７】
しかも、導出チューブ９９は透明であることから、該導出チューブ９９内をブルーの薬剤溶液が通流していることを目視することができ、これにより視覚的に清涼感を与えることもできる。
【００８８】
なお、本実施の形態においては、導出孔８５に導出チューブ９９を連結させるようにしたが、他の実施の形態と同様に、導出チューブ９９を用いることなく、薬剤溶液を導出孔８５から流下させる構成としてもよい。また、逆に前述の各実施の形態の導出孔に、本実施の形態に示した導出チューブ９９を設けるようにしてもよい。
【００８９】
図１４は、本発明の第１３実施の形態を示すものである。水洗トイレ用薬剤供給具１０は、平板状の底壁１００を有し、この底壁１００の下面側には、複数の脚１０１が垂設されている。底壁１００の上面一側部には、環状の周壁１０２が立設されており、これにより水洗トイレ用薬剤供給具１０の一側部には底壁１００と周壁１０２とで囲まれた貯留室１０３が形成されている。また、貯留室１０３内の底壁１００には、流出孔１０６が形成されている。
【００９０】
底壁１００の上面他側部には、台座１０４が立設されており、該台座１０４上には、水溶性薬剤１８が載置されている。該水溶性薬剤１８の上方には、導水管１０５が配置されている。該導水管１０５の一端部１０５ａは、水溶性薬剤１８の真上に位置しており、他端部１０５ｂは周壁１０２の上部にて貯留室１０３に連通されている。
【００９１】
以上の構成にかかる本実施の形態において、この水洗トイレ用薬剤供給具１０を使用するに際しては、複数の脚１０１を貯水タンク上蓋１の斜面３に当接させて、水平に配置するとともに、貯留室１０３を放水タップ４の直下に位置させる。この状態で放水タップ４より水を放出させると、貯留室１０３内に水が流入する。この貯留室１０３内に流入した水は、その一部が流出孔１０６から流出しつつ、当該貯留室１０３内に貯留する。
【００９２】
そして、この貯留室１０３内に貯留した水の液面が導水管１０５の他端部１０５ｂの位置まで上昇すると、貯留した水の一部は導水管１０５内に流入して、その一端部１０５ａより、水溶性薬剤１８上に流下する。これにより、水溶性薬剤１８の薬剤成分が流下する水に溶解して混入し、この薬剤成分が溶解した薬剤溶液は、底壁１００の一側部上面に滴下した後、貯水タンク上蓋１の斜面３上に滴下して穴２内に流入する。
【００９３】
このとき、貯留室１０３内に貯留する水の液面レベルは、斜面３の傾斜角度とは無関係に、放水タップ４からの流入量と流出孔１０６からの流出量との関係に応じて定まる。よって、放水タップ４からの１回の放水によって水溶性薬剤１８から溶解する薬剤の量が一定となり、貯水タンク上蓋１の形状によって左右されることなく、水溶性薬剤１８の持続期間を一定にすることができる。
【００９４】
また、水溶性薬剤１８の薬剤成分が混入して生成された薬剤溶液は、貯水タンク上蓋１上で滞留することなく流れることから、該薬剤溶液中に含まれているブルー染料が貯水タンク上蓋１に付着しにくく、ブルー染料の付着による貯水タンク上蓋１の汚れを抑制することができる。
【００９５】
【発明の効果】
以上説明したように本発明は、水溶性薬剤が配置される配置部を貯水タンク式水洗トイレの放水タップに結合させて支持するとともに、放水タップから流出する水を配置部に供給する供給部と、供給部からの水に水溶性薬剤が溶解した溶液を配置部から導出する導出部とを設けるようにした。よって、放水タップからの１回の放水により溶解する水溶性薬剤の量を、貯水タンク上蓋の形状に左右されることなく一定にすることができ、その結果、水溶性薬剤の持続期間を一定にすることができる。また、導出部から貯水タンク上蓋上に流下した溶液を、水タンク上蓋で滞留させることなく流すことができ、よって、薬剤溶液中に含まれているブルー染料の付着による貯水タンク上蓋の汚れを抑制することができる。
【００９６】
また、前記配置部が水溶性薬剤を収容する収容室からなることにより、収容室内に貯留した水に水溶性薬剤が浸漬させて溶解させることができ、これにより、１回の放水当たり、正確に一定量の薬剤を溶解させることができる。
【００９９】
また、供給部を、放水タップから流出する水を貯留する貯留室と、該貯留室に貯留した水の一部を流出させる流出孔と、該貯留室に残存する水を前記収容室に流入させる流入孔とからなる構成とした。したがって、放水タップからの水は一旦貯留室に貯留してから収容室に供給されることから、放水タップからの水の勢いによって水溶性薬剤が過剰に溶解してしまうことがなく、１回の放水当たり、正確に一定量の薬剤を溶解させることができる。
【０１０４】
また、収容室の側部に貯留室を配置するようにしたことから、水洗トイレ用薬剤供給具が横長形状にすることができ、その下部に手洗いに必要な空間を確保すいることができる。
【０１０５】
また、貯留室の底壁に、複数の流出孔を形成するようにしたことから、放水タップからの水が複数の流出孔からシャワー状に流下し、これにより手洗いを効率的に行うことができる
【０１０７】
また、収容室の両側部に、供給部から供給される水を流入させる間隙を各々形成し、あるいは導出部に導出される前記溶液を通流させる間隙を各々形成するとともに、両間隙を相互に異なる幅としたことから、収容室内に一定の水の流れを形成することができ、このこの一定の流れにより水溶性薬剤を一定量溶解させることができる。したがって、放水タップからの１回の放水によって水溶性薬剤から溶解する薬剤の量を一定にすることができ、その結果、水溶性薬剤の持続期間をより正確に一定にすることができる。
【図面の簡単な説明】
【図１】本発明の第１実施の形態を示す垂直断面模式図である。
【図２】本発明の第２実施の形態を示す垂直断面模式図である。
【図３】本発明の第３実施の形態を示す垂直断面模式図である。
【図４】本発明の第４実施の形態を示す垂直断面模式図である。
【図５】本発明の第５実施の形態を示す垂直断面模式図である。
【図６】本発明の第６実施の形態を示す垂直断面模式図である。
【図７】本発明の第７実施の形態を示す垂直断面模式図である。
【図８】本発明の第８実施の形態を示す垂直断面模式図である。
【図９】本発明の第９実施の形態を示す垂直断面模式図である。
【図１０】本発明の第１０実施の形態を示す垂直断面模式図である。
【図１１】本発明の第１１実施の形態を示す平面模式図である。
【図１２】同実施の形態を示す図１１のａ−ａ線に沿う断面模式図である。
【図１３】本発明の第１２実施の形態を示す垂直断面模式図である。
【図１４】本発明の第１３実施の形態を示す垂直断面模式図である。
【図１５】従来の水洗トイレ用薬剤供給具を示す垂直断面図である。
【符号の説明】
４    放水タップ
１０    水洗トイレ用薬剤供給具
１４    収容室
１５    導出孔
１６    放水タップ結合部
１８    水溶性薬剤
１９    導出開口
２１    収容室
２２    貯留室
２３    流出孔
２６    台座
２８    収容室
２９    貯留室
３０    流出孔
３４    シャッター
３５    導出孔
３６    供給孔
６７ａ    第１大間隙
６７ｂ    第１小間隙
６９ａ    第２小間隙
６９ｂ    第２大間隙
【図１】
0004203182.tif 000002
【図２】
0004203182.tif 000003
【図３】
0004203182.tif 000004
【図４】
0004203182.tif 000005
【図５】
0004203182.tif 000006
【図６】
0004203182.tif 000007
【図７】
0004203182.tif 000008
【図８】
0004203182.tif 000009
【図９】
0004203182.tif 000010
【図１０】
0004203182.tif 000011
【図１１】
0004203182.tif 000012
【図１２】
0004203182.tif 000013
【図１３】
0004203182.tif 000014
【図１４】
0004203182.tif 000015
【図１５】
0004203182.tif 000016